(57)【要約】【課題】空気吸入量によって吸入口の大きさを可変し得る空気調和機を提供する。【解決手段】外観をなし、空気が吸入されるする主吸入口及び補助吸入口がそれぞれ設けられたケースと、前記補助吸入口を覆うように下端が前記ケースに回動可能に取り付けられ、所要空気吸入量によって回動して前記補助吸入口を開閉する開閉部材と、前記開閉部材をその下端を中心に回動させる開閉装置とを含む。【選択図】        図２
2004163079.tif 000002
【特許請求の範囲】
【請求項１】
外観をなし、空気が吸入されるする主吸入口及び補助吸入口がそれぞれ設けられたケースと、
前記補助吸入口を覆うように下端が前記ケースに回動可能に取り付けられ、所要空気吸入量によって回動して前記補助吸入口を開閉する開閉部材と、
前記開閉部材をその下端を中心に回動させる開閉装置とを含んでなることを特徴とする空気調和機。
【請求項２】
前記主吸入口は前記ケースの上面に設けられ、前記補助吸入口は前記ケースの前面に設けられることを特徴とする請求項１に記載の空気調和機。
【請求項３】
前記開閉装置は、
前記ケースに装着され、回転力を発生する開閉モータと、
一端が前記開閉モータに結合され、前記開閉モータにより回動する第１リンクと、
両端が前記第１リンクの他端と前記開閉部材の内側にそれぞれ軸支され、前記第１リンクから伝達される力により前記開閉部材の上側を開放させる第２リンクとを含むことを特徴とする請求項１に記載の空気調和機。
【請求項４】
前記第２リンクは、前記開閉部材の左右側を実質的に均一に移動させるように、側方に所定の幅を有するように広く形成されることを特徴とする請求項３に記載の空気調和機。
【請求項５】
前記開閉モータは、回転速度及び回転角度を精度よく制御し得るステッピングモータを有することを特徴とする請求項３に記載の空気調和機。
【請求項６】
前記開閉部材の下部には、前記開閉部材から後方に延長されるガイド部と、前記ガイド部から側方に延長されるガイド突起とが設けられ、
前記ケースには、前記ガイド突起が挿入されるガイド溝が設けられることを特徴とする請求項１に記載の空気調和機。
【請求項７】
前記ガイド溝は、前記ガイド突起を前方上側に案内し得るように、前方上側に向かって斜めに形成されることを特徴とする請求項６に記載の空気調和機。
【請求項８】
前記ケースには、前記開閉モータの装着のためのモータ挿着凹部と、前記開閉モータが前記モータ挿着凹部に装着された後、前記開閉モータを覆って前記モータ挿着凹部に固定するモータカバーとが設けられることを特徴とする請求項３に記載の空気調和機。
【請求項９】
前記ケースには、前記第１リンクの一側を支持するためのリンク支持部材が設けられ、前記第１リンクの一側は前記モータカバーにより支持され、前記第１リンクの他側は前記リンク支持部材により支持されることにより、前記第１リンクが側方に遊動することを防止することを特徴とする請求項８に記載の空気調和機。
【請求項１０】
前記ケースの前面には、前記開閉部材の下端を支持するため、前記開閉部材の下端に設けられる支持部材が設けられることを特徴とする請求項３に記載の空気調和機。
【請求項１１】
前記支持部材は前記ケースと一体的に形成されることを特徴とする請求項１０に記載の空気調和機。
【発明の詳細な説明】
【０００１】
【発明の属する技術分野】
本発明は空気調和機に係り、より詳しくは空気吸入量によって吸入口の大きさを可変し得る空気調和機に関するものである。
【０００２】
【従来の技術】
一般に、空気調和機は冷凍サイクルを用いて空気を調和させる装置であって、室外に設置される室外機と室内に設置される室内機に区分される。
【０００３】
室外機は、内部に冷凍サイクルをなす圧縮機、凝縮器及びファンを備えており、冷房運転の際、室外空気をファンにより吸入し、凝縮器を凝縮させるようになっている。室内機は、内部に冷凍サイクルの蒸発器と送風ファンなどが設けられたものであって、冷房運転の際、送風ファンの吸入力及び送風力により室内空気が蒸発器を通過する過程で熱交換され、続いて室内に吐き出されて冷房を行うようになっているものである。
【０００４】
従来の空気調和機の室内機は、図１に示すように、外観をなすケース１の内部に、冷気を発生させる蒸発器２と、外部空気がケース１の内部に循環されるようにする送風ファン３とを備えてなる。
【０００５】
ケース１の前面及び上面には吸入口４が設けられ、この吸入口を通して空気が吸入される。ケース１の下部には、吸入された空気がケース１の内部に設けられた蒸発器１と熱交換して冷却されてから吐き出されるようにする吐出口５が設けられる。ところが、このような従来の空気調和機の室内機は、使用者の目に主に見えるケース１の前面側に吸入口４が設けられ、該吸入口４がケース１の前面の一定領域を占めているため、外観品質の改善するための多様なデザインを構成しにくいという問題点がある。
【０００６】
また、外観品質を向上させるため、ケース１の前面から吸入口４を除去すると、外観品質は向上するが、空気が吸入される吸入口４の面積が減少し、流路抵抗によりケース１内に吸入される空気吸入力が低下し、よって空気調和機の室内機の送風能力が低下するという問題点がある。
【０００７】
【発明が解決しようとする課題】
したがって、本発明はこのような従来の問題点を解決するためになされたもので、その目的は、ケースの前面外観の品質を向上させながらも空気吸入量の減少は防止することができる空気調和機の室内機を提供することにある。
【０００８】
【課題を解決するための手段】
前記のような目的を達成するため、本発明は、外観をなし、空気が吸入されるする主吸入口及び補助吸入口がそれぞれ設けられたケースと、前記補助吸入口を覆うように下端が前記ケースに回動可能に取り付けられ、所要空気吸入量によって回動して前記補助吸入口を開閉する開閉部材と、前記開閉部材をその下端を中心に回動させる開閉装置とを含んでなる空気調和機を提供する。
【０００９】
前記主吸入口は前記ケースの上面に設けられ、前記補助吸入口は前記ケースの前面に設けられる。
【００１０】
前記開閉装置は、前記ケースに装着され、回転力を発生する開閉モータと、一端が前記開閉モータに結合され、前記開閉モータにより回動する第１リンクと、両端が前記第１リンクの他端と前記開閉部材の内側にそれぞれ軸支され、前記第１リンクから伝達される力により前記開閉部材の上側を開放させる第２リンクとを含む。
【００１１】
前記第２リンクは、前記開閉部材の左右側を実質的に均一に移動させるように、側方に所定の幅を有するように広く形成される。
【００１２】
前記開閉モータは、回転速度及び回転角度を精度よく制御し得るステッピングモータを有する。
【００１３】
前記開閉部材の下部には、前記開閉部材から後方に延長されるガイド部と、前記ガイド部から側方に延長されるガイド突起とが設けられ、前記ケースには、前記ガイド突起が挿入されるガイド溝が設けられる。
【００１４】
前記ガイド溝は、前記ガイド突起を前方上側に案内し得るように、前方上側に向かって斜めに形成される。
【００１５】
前記ケースには、前記開閉モータの装着のためのモータ挿着凹部と、前記開閉モータが前記モータ挿着凹部に装着された後、前記開閉モータを覆って前記モータ挿着凹部に固定するモータカバーとが設けられる。
【００１６】
前記ケースには、前記第１リンクの一側を支持するためのリンク支持部材が設けられ、前記第１リンクの一側は前記モータカバーにより支持され、前記第１リンクの他側は前記リンク支持部材により支持されることにより、前記第１リンクが側方に遊動することを防止する。
【００１７】
前記ケースの前面には、前記開閉部材の下端を支持するため、前記開閉部材の下端に設けられる支持部材が設けられる。
【００１８】
前記支持部材は前記ケースと一体的に形成される。
【００１９】
【発明の実施の形態】
以下、本発明の好ましい実施例を図面に基づいて詳細に説明する。
【００２０】
本発明による空気調和機の室内機は、図２及び図３に示すように、外観をなし、内部に冷凍サイクルの構成部品が設けられるケース１０を備えている。
【００２１】
ケース１０の内部には、内部に流入された空気と熱交換する蒸発器１１と、外部空気がケース１０の内部に循環するようにする送風ファン１２と、蒸発器１１の下部に設けられ、蒸発器１１で凝縮された凝縮水を収集して外部へ排出する凝縮水受け１３が設けられる。
【００２２】
また、ケース１０には、内部に空気が吸入できるようにする主吸入口１４及び補助吸入口１５と、内部で熱交換された空気が吐き出されるようにする吐出口１６とが設けられる。主吸入口１４はケース１０の上面に設けられ、補助吸入口１５はケース１０の前面上部に設けられる。吐出口１６はケース１０の下部に設けられ、吐き出される空気の方向を調節するための風向調節羽１７を備えて、ケース１０の前方側に空気を吐き出すようになっている。
【００２３】
この際、ケース１０の前面側に設けられた補助吸入口１５はケース内に十分な空気が吸入できるようにするために形成されたもので、ケース１０の前面に取り付けられる開閉部材２０により開閉されるようになっている。
【００２４】
開閉部材２０は補助吸入口１５を覆うように設けられ、その下端がケース１０の前面に回動可能に結合され、十分な空気吸入量が必要な場合、下端を中心として回動して補助吸入口１５を開放するようになっている。したがって、補助吸入口１５は開閉部材２０により遮られるので、開閉部材２０が製品の外観品質の向上に寄与することになる。
【００２５】
本発明による空気調和機の室内機には、前記開閉部材２０を動作させるための開閉装置３０が設けられる。開閉装置３０は、図４に示すように、回転力を発生させる開閉モータ３１と、一端が開閉モータ３１に結合され、開閉モータ３１の回転により回転する第１リンク３２と、両端が第１リンク３２の他端と開閉部材２０の内側にそれぞれ軸支され、第１リンク３２から伝達された動力を開閉部材２０に伝達して、開閉部材２０がその下端を中心に回動するようにする第２リンク３３とを含んでなる。
【００２６】
開閉モータ３１は回転速度及び回転角度を精密に制御し得るステッピングモータからなるもので、空気吸入量によって開閉部材２０の開閉角度を調節して、ケース１０内に吸入される空気吸入量を調節するものである。かかる開閉モータ３１の設置のため、ケース１０の前面中央部にモータ挿着凹部１８が設けられ、開閉モータ３１がモータ挿着凹部１８に挿着された後、開閉モータ３１を覆って開閉モータ３１をモータ挿着凹部１８に固定させるモータカバー３４が設けられる。
【００２７】
第１リンク３２の一端には、開閉モータ３１の回転軸が結合される固定孔３２ａが穿設され、他端には、第２リンク３３との結合のため、両側に第１軸支突起３２ｂが設けられている。
【００２８】
かかる第１リンク３２の一側にはリンク支持部材３５が設けられる。このリンク支持部材３５は第１リンク３２が側方に遊動することを防止するためのもので、第１リンク３２のモータカバー３４の他側に設けられ、第１リンク３２の両側面がモータカバー３４とリンク支持部材３５によりそれぞれ支持されるようになっている。
【００２９】
第２リンク３３は、第１リンク３２から力を受けて開閉部材２０の両側に均一に力を伝達するため、側方に所定の幅を有するように長く形成される。この第２リンク３３の一端には、第１軸支突起３２ｂが軸支されるように一対の第１軸支孔３３ａが穿設され、他端には、開閉部材２０に軸支されるように第２軸支突起３３ｂが設けられる。
【００３０】
開閉部材２０の後面には、開閉部材２０の剛性を補完するため、上下方向に一対の補強リブ２１が設けられ、各補強リブ２１には、第２軸支突起３３ｂが挿入される第２軸支孔２１ａが設けられているので、第２リンク３３を回動可能に取り付けることができる。
【００３１】
また、前述したように、開閉部材２０の下端はケース１０の前面に回動可能に取り付けられる。このため、開閉部材２０の後面中央部には、図５に示すように、ガイドリブ２２が設けられ、該ガイドリブ２２にはガイド突起２２ｂが設けられたガイド部２２ａが後方に一体的に延設される。
【００３２】
ケース１０には、前記ガイド突起２２ｂを案内して開閉部材２０が回動できるようにするため、ガイド溝１９が設けられる。該ガイド溝１９はガイド突起２２ｂを前方上側に案内し得るように、前方上側に向かって斜めに形成されている。
【００３３】
開閉部材２０の下側には、開閉部材２０の下端を支持するための支持部材４０が設けられる。該支持部材４０は開閉部材２０と同様にケース１０の前面に設けられ、その上端が開閉部材２０の下端に当接して開閉部材２０を支持することになる。
【００３４】
したがって、開閉モータ３１が駆動して開閉部材２０を回動させるとき、開閉部材２０の下端が支持部材４０により支持された状態であるので、開閉部材２０の前面側下端は支持部材４０に支持される状態を維持し、開閉部材２０の後面側下端のみがガイド溝１９とガイド突起２２ｂにより案内され支持部材４０の上端から離隔されることにより、開閉部材２０が開放されるものである。
【００３５】
本実施例において、支持部材４０はケース１０とは異なる別の部材からなっているが、これに限定されなく、ケースと一体的に形成することもできる。
【００３６】
つぎに、このように構成される本発明による空気調和機の室内機の動作及び作用効果を図面に基づいて詳細に説明する。
【００３７】
まず、一定量以下の空気吸入量が要求される場合、図３に示すように、補助吸入口１５は開閉部材２０により閉鎖された状態を維持し、よって空気はケース１０の上面に設けられた主吸入口１４のみを通して吸入される。
【００３８】
一方、一定量以上の空気吸入量が要求される場合は、開閉装置３０が動作する。開閉モータ３１に電源が印加されると、開閉モータ３１により第１リンク３２が反時計方向（図面を基準）に回転して第２リンク３３を介して開閉部材２０に力を伝達する。この際、第１リンク３２の回転につれて、第１リンク３２と第２リンク３３が互いになす角度は鋭角から鈍角に変わり、よって第１リンク３２と第２リンク３３がなす直線距離が長くなる。
【００３９】
したがって、開閉部材２０の上端は、図６に示すように、ケース１０の前面から離隔して、補助吸入口１５を開放する。したがって、空気は主吸入口１４及び補助吸入口１５を通してケース１０の内部に流入されるので、十分な量の空気がケース１０の内部に吸入されることになる。
【００４０】
【発明の効果】
以上説明したように、本発明による空気調和機の室内機は、ケースの前面側に補助吸入口と、所要空気吸入量によって補助吸入口を開閉する開閉部材とを有するので、開閉部材により外観品質を向上させるとともに、空気吸入量の低下を防止することができる効果がある。
【図面の簡単な説明】
【図１】従来の空気調和機の室内機の断面図である。
【図２】本発明による空気調和機の室内機の斜視図である。
【図３】本発明による空気調和機の室内機の断面図である。
【図４】本発明による空気調和機の室内機の開閉装置の分解斜視図である。
【図５】本発明による空気調和機の室内機のガイド溝及びガイド突起を示す斜視図である。
【図６】本発明による開閉装置が動作した状態を示す本発明による空気調和機の室内機の断面図である。
【符号の説明】
１０  ケース
１１  蒸発器
１２  送風ファン
１３  凝縮水受け
１４  主吸入口
１５  補助吸入口
１６  吐出口
１７  風向調節羽
１８  挿着凹部
１９  ガイド溝
２０  開閉部材
２１  補強リブ
２２  ガイドリブ
３０  開閉装置
３１  開閉モータ
３２  第１リンク
３３  第２リンク
３４  モータカバー
３５  リンク支持部材
４０  支持部材
【図１】
2004163079.tif 000003
【図２】
2004163079.tif 000004
【図３】
2004163079.tif 000005
【図４】
2004163079.tif 000006
【図５】
2004163079.tif 000007
【図６】
2004163079.tif 000008